【事件の表示】
　特許第３３５４５２９号「光学的フイルム、光学的フィルムセット、及び上記光学的フイルムを用いた液晶表示装置」の請求項１、３ないし５、７ないし１０、１２ないし１５に係る特許に対する特許異議の申立てについて、次のとおり決定する。
【結　論】
　訂正を認める。
　特許第３３５４５２９号の請求項１ないし１４に係る特許を維持する。
【理　由】
１．手続の経緯
　特許第３３５４５２９号の請求項１、３〜５、７〜１０、１２〜１５に係る発明は、平成４年９月１６日に出願した特願平４−２４６２２５号の一部を平成１１年９月２０日に新たな特許出願としたものであって、平成１４年９月２７日にその発明について特許権の設定登録がなされ、その後、その特許について、特許異議申立人笠井しん一により特許異議の申立てがなされ、取消の理由が通知され、その指定期間内である平成１６年１２月１６日に訂正請求がなされたものである。
　
２．訂正の適否についての判断
（１）訂正の内容
ア．訂正事項ａ
　特許請求の範囲の請求項１について、
「上記２等辺３角形プリズムが上記短辺および長辺に対して非平行に形成されている」とあるのを、「上記２等辺３角形プリズムが上記短辺および長辺に対して非平行に形成されており、上記２等辺３角形プリズムのピーク間の距離が１５０μｍ以下である」と訂正する。
イ．訂正事項ｂ
　特許請求の範囲の請求項２〜４を削除する。
ウ．訂正事項ｃ
　特許請求の範囲の請求項５について、
「上記第２光学的フィルムの２等辺３角形プリズムが上記第２光学的フィルムの短辺および長辺に対して非平行に形成されている」とあるのを、「上記第２光学的フィルムの２等辺３角形プリズムが上記第２光学的フィルムの短辺および長辺に対して非平行に形成されており、上記２等辺３角形プリズムのピーク間の距離が１５０μｍ以下である」と訂正し、訂正後の請求項２とする。
エ．訂正事項ｄ
　特許請求の範囲の請求項７、８について、「請求項５または６に」とあるのを、「請求項２または３に」と訂正し、特許請求の範囲の請求項１０〜１３について、「請求項９記載の」とあるのを、「請求項６記載の」と訂正し、特許請求の範囲の請求項６〜１２をそれぞれ訂正後の請求項３〜９とする。
オ．訂正事項ｅ
　特許請求の範囲の請求項１３について、
「上記２等辺３角形プリズムの上角は９５〜１２０度である光学的フィルムである」を「上記２等辺３角形プリズムの上角は９５〜１２０度である光学的フィルムであり、上記液晶表示装置は偏光板を有し、上記光学的フィルムの波形構造はピーク及び谷を有し、上記光学的フィルムのうち一方のピーク及び谷の方向が、上記偏光板の偏光軸に平行に整列されている」と訂正し、訂正後の請求項１０とする。
カ．訂正事項ｆ
　特許請求の範囲の請求項１４について、
「上記第２光学的フィルムの２等辺３角形プリズムが上記第２光学的の長辺に対して平行に形成されている」とあるのを、「上記第２光学的フィルムの２等辺３角形プリズムが上記第２光学的の長辺に対して平行に形成されており、上記液晶表示装置は偏光板を有し、上記光学的フィルムの波形構造はピーク及び谷を有し、上記光学的フィルムのうち一方のピーク及び谷の方向が、上記偏光板の偏光軸に平行に整列されている」と訂正し、訂正後の請求項１１とする。
キ．訂正事項ｇ
　特許請求の範囲の請求項１５について、
「上記第２光学的フィルムの２等辺３角形プリズムが上記第２光学的フィルムの短辺および長辺に対して非平行に形成されている」とあるのを、「上記第２光学的フィルムの２等辺３角形プリズムが上記第２光学的フィルムの短辺および長辺に対して非平行に形成されており、上記２等辺３角形プリズムのピーク間の距離が１５０μｍ以下である」と訂正し、訂正後の請求項１２とする。
ク．訂正事項ｈ
　特許請求の範囲の請求項１６について、「請求項１３，請求項１４又は請求項１５に記載の」とあるのを、「請求項１２に記載の」と訂正し、訂正後の請求項１３とする。
ケ．訂正事項ｉ
　特許請求の範囲の請求項１７について、「請求項１３，請求項１４又は請求項１５に記載の」とあるのを、「請求項１０又は請求項１１に記載の」と訂正し、訂正後の請求項１４とする。
　
（２）訂正の目的の適否、新規事項の有無及び拡張・変更の存否
　上記訂正事項ａ、ｃ、ｇは、訂正前の請求項について、「２等辺３角形プリズムのピーク間の距離が１５０μｍ以下である」と限定したものであり、「２等辺３角形プリズムのピーク間の距離が１５０μｍ以下である」点は、特許明細書の【請求項２】に記載されているから、特許請求の範囲の減縮を目的とした明細書の訂正に該当し、また、上記訂正事項ｂは、特許請求の範囲の請求項２〜４を削除するものであり、また、上記訂正事項ｄ、ｈ、ｉは請求項２〜４が削除されたことに伴い引用する請求項を変更するものであるから、明瞭でない記載の釈明を目的とした明細書の訂正に該当し、また、上記訂正事項ｅ、ｆは、訂正前の請求項について、「液晶表示装置は偏光板を有し、上記光学的フィルムの波形構造はピーク及び谷を有し、上記光学的フィルムのうち一方のピーク及び谷の方向が、上記偏光板の偏光軸に平行に整列されている」と限定したものであり、「液晶表示装置は偏光板を有し、上記光学的フィルムの波形構造はピーク及び谷を有し、上記光学的フィルムのうち一方のピーク及び谷の方向が、上記偏光板の偏光軸に平行に整列されている」点は、 特許明細書の【段落００１９】に記載されているから、特許請求の範囲の減縮を目的とした明細書の訂正に該当し、いずれも、新規事項の追加に該当せず、実質的に特許請求の範囲を拡張又は変更するものではない。
　
（３）むすび
　したがって、上記訂正は、特許法第１２０条の４第３項において準用する平成６年法律第１１６号による改正前の第１２６条第１項ただし書、第２項及び第３項の規定に適合するので、当該訂正を認める。
　
３．特許異議申立てについての判断
（１）申立ての理由の概要
　特許異議申立人笠井しん一は、証拠として甲第１号証（特開平５−２０３９５０号公報）を提出し、請求項１、５、７、８、１５に係る発明は、特許法第２９条の２の規定に違反してなされ、さらに、甲第２号証（特開平５−３２３３１９号公報）を提出し、請求項３、４、９、１０、１２〜１４に係る発明は、特許法第２９条の２の規定に違反してなされ、さらに、甲第３号証（特開平５−１２７１５９号公報）を提出し、請求項３、４、１４に係る発明は、特許法第２９条の２の規定に違反してなされ、さらに、甲第４号証（特開平６−６７００４号公報）を提出し、請求項９に係る発明は、特許法第２９条の２の規定に違反してなされたものであるから、特許は取り消されるべきものである旨主張し、この出願の出願時における周知・慣用技術を示す文献として甲第５号証（実開昭６３−１８７１３９号公報）、甲第６号証（実願平１−１３１０１０号（実開平３−６９１８４号）のマイクロフィルム）を提出している。
　
（２）本件発明
　上記２．で示したように上記訂正が認められるから、本件の請求項１〜１４に係る発明（以下、「本件発明１」〜「本件発明１４」という。）は、上記訂正請求に係る訂正明細書の特許請求の範囲の請求項１〜１４に記載された事項により特定される以下のとおりのものである。
【請求項１】
　短辺及び長辺を有する透明材料の第１表面に、複数個の２等辺３角形プリズムを互いに並設して形成された波形構造が設けられており、上記透明材料の第２表面に、光学的拡散透過を行う凸凹構造が設けられており、上記２等辺３角形プリズムの上角は９５〜１２０度であり、上記２等辺３角形プリズムが上記短辺および長辺に対して非平行に形成されており、上記２等辺３角形プリズムのピーク間の距離が１５０μｍ以下である、光学的フイルム。
【請求項２】
　複数個の２等辺３角形プリズムを互いに並設して形成された波形構造を有する第１表面と、光学的拡散透過を行う凸凹構造を有する第２表面とを有し、上記２等辺３角形プリズムの上角は９５〜１２０度である、第１光学的フィルムと第２光学的フィルムとからなる光学的フィルムセットであって、上記第１光学的フィルムの２等辺３角形プリズムが上記第１光学的フィルムの短辺および長辺に対して非平行に形成されており、上記第２光学的フィルムの２等辺３角形プリズムが上記第２光学的フィルムの短辺および長辺に対して非平行に形成されており、上記２等辺３角形プリズムのピーク間の距離が１５０μｍ以下である、光学的フィルムセット。
【請求項３】
　複数個の２等辺３角形プリズムを互いに並設して形成された波形構造を有する第１表面と、光学的拡散透過を行う凸凹構造を有する第２表面とを有し、上記２等辺３角形プリズムのピーク間の距離が１５０μｍ以下である、第１光学的フィルムと第２光学的フィルムとからなる光学的フィルムセットであって、
　上記第１光学的フィルムの２等辺３角形プリズムが上記第１光学的フィルムの短辺および長辺に対して非平行に形成されており、上記第２光学的フィルムの２等辺３角形プリズムが上記第２光学的フィルムの短辺および長辺に対して非平行に形成されている、光学的フィルムセット。
【請求項４】
　上記第１光学的フィルムの２等辺３角形プリズムと上記第２光学的フィルムの２等辺３角形プリズムとが異なる方向に形成されていることを特徴とする、請求項２または３に記載の光学的フィルムセット。
【請求項５】
　上記第１光学的フィルムの２等辺３角形プリズムと上記第２光学的フィルムの２等辺３角形プリズムとが互いに略直交する方向に形成されていることを特徴とする、請求項２または３に記載の光学的フィルムセット。
【請求項６】
　偏光板を有する液晶表示パネル及びバックライト装置を含む液晶表示装置に於いて、上記バックライト装置は、光を発生する光源と、上記液晶表示パネルの背面に対面された上面及び上記光源からの光を受け取る側面を有する光ガイド手段と、上記光ガイド手段の背面に設けられた反射手段と、上記液晶表示パネルの背面及び上記光ガイド手段の上面の間に位置決めされた一枚の光学的フイルムとを備え、該光学的フィルムは、透明材料の第１表面に、複数個の２等辺３角形プリズムを互いに並設して形成された波形構造が設けられており、上記透明材料の第２表面に、光学的拡散透過を行う凸凹構造が設けられており、上記２等辺３角形プリズムの上角は９５〜１２０度であり、上記光学的フイルムの波形構造はピーク及び谷を有し、上記光学的フィルムのピーク及び谷の方向が、上記偏光板の偏光軸に平行に整列されている、液晶表示装置。
【請求項７】
　上記２等辺３角形プリズムが、上記光学的フィルムの短辺に対して平行に形成されていることを特徴とする、請求項６記載の液晶表示装置。
【請求項８】
　上記２等辺３角形プリズムが、上記光学的フィルムの短辺および長辺に対して非平行に形成されていることを特徴とする、請求項９に記載の液晶表示装置。
【請求項９】
　上記２等辺３角形プリズムが、上記光学的フィルムの長辺に対して平行に形成されていることを特徴とする、請求項６記載の液晶表示装置。　　
【請求項１０】
　液晶表示パネル及びバックライト装置を含む液晶表示装置に於いて、上記バックライト装置は、光を発生する光源と、上記液晶表示パネルの背面に対面された上面及び上記光源からの光を受け取る側面を有する光ガイド手段と、上記光ガイド手段の背面に設けられた反射手段と、上記液晶表示パネルの背面及び上記光ガイド手段の上面の間に位置決めされた、二枚の光学的フイルムと備えるものであり、
　上記光学的フィルムが、透明材料の第１表面に、複数個の２等辺３角形プリズムを互いに並設して形成された波形構造が設けられており、上記透明材料の第２表面に、光学的拡散透過を行う凸凹構造が設けられており、上記２等辺３角形プリズムの上角は９５〜１２０度であり、上記液晶表示装置は偏光板を有し、上記光学的フイルムの波形構造はピーク及び谷を有し、上記光学的フィルムのうち一方のピーク及び谷の方向が、上記偏光板の偏光軸に平行に整列されていることを特徴とする、液晶表示装置。
【請求項１１】
　液晶表示パネル及びバックライト装置を含む液晶表示装置に於いて、上記バックライト装置は、光を発生する光源と、上記液晶表示パネルの背面に対面された上面及び上記光源からの光を受け取る側面を有する光ガイド手段と、上記光ガイド手段の背面に設けられた反射手段と、上記液晶表示パネルの背面及び上記光ガイド手段の上面の間に位置決めされた、第１光学的フイルムと第２光学的フィルムとを備えるものであり、上記第１光学的フィルムと上記第２光学的フィルムは、透明材料の第１表面に、複数個の２等辺３角形プリズムを互いに並設して形成された波形構造が設けられており、上記透明材料の第２表面に、光学的拡散透過を行う凸凹構造が設けられており、上記２等辺３角形プリズムの上角は９５〜１２０度である光学的フィルムであり、上記第１光学的フィルムの２等辺３角形プリズムが上記第１光学的フィルムの短辺に対して平行に形成されており、上記第２光学的フィルムの２等辺３角形プリズムが上記第２光学的フィルムの長辺に対して平行に形成されており、上記液晶表示装置は偏光板を有し、上記光学的フイルムの波形構造はピーク及び谷を有し、上記光学的フィルムのうち一方のピーク及び谷の方向が、上記偏光板の偏光軸に平行に整列されている液晶表示装置。
【請求項１２】
　液晶表示パネル及びバックライト装置を含む液晶表示装置に於いて、上記バックライト装置は、光を発生する光源と、上記液晶表示パネルの背面に対面された上面及び上記光源からの光を受け取る側面を有する光ガイド手段と、上記光ガイド手段の背面に設けられた反射手段と、上記液晶表示パネルの背面及び上記光ガイド手段の上面の間に位置決めされた、第１光学的フイルムと第２光学的フィルムとを備えるものであり、上記第１光学的フィルムと上記第２光学的フィルムは、透明材料の第１表面に、複数個の２等辺３角形プリズムを互いに並設して形成された波形構造が設けられており、上記透明材料の第２表面に、光学的拡散透過を行う凸凹構造が設けられており、上記２等辺３角形プリズムの上角は９５〜１２０度である光学的フィルムであり、上記第１光学的フィルムの２等辺３角形プリズムが上記第１光学的フィルムの短辺および長辺に対して非平行に形成されており、上記第２光学的フィルムの２等辺３角形プリズムが上記第２光学的フィルムの短辺および長辺に対して非平行に形成されており、上記２等辺３角形プリズムのピーク間の距離が１５０μｍ以下である、液晶表示装置。
【請求項１３】
  上記液晶表示装置は偏光板を有し、上記光学的フイルムの波形構造はピーク及び谷を有し、上記光学的フィルムのうち一方のピーク及び谷の方向が、上記偏光板の偏光軸に平行に整列されていることを特徴とする、請求項１２に記載の液晶表示装置。
【請求項１４】
　上記２等辺３角形プリズムのピーク間の距離が１５０μｍ以下であることを特徴とする請求項１０又は請求項１１に記載の液晶表示装置。
　
（３）先願明細書記載の発明
　当審が通知した取消しの理由に引用された先願発明１（特願平４−１１８６４号（特開平５−２０３９５０号））（甲第１号証）には以下の事項が記載されている。
ア．「【請求項１】　片面に横断面略三角形の多数のプリズム部が、各稜線が略平行状に、かつ、シートの辺縁に対して傾斜するよう形成された方形シートから成る集光シート。
　　【請求項２】　片面に横断面略三角形の多数のプリズム部が、各稜線が略平行状に形成された複数枚のシートが、シート毎のプリズム部の稜線同志が５°以上の角度をなすように、重ね合わされている集光シート。」（【請求項１】、【請求項２】）
イ．「多数のプリズム部の各２つの斜面のなす角度は３０〜１５０°、好ましくは約６０〜１２０°の範囲である。」（段落【００１７】）
ウ．「集光シートの材質は透明な樹脂であれば特に限定されなず、透明な樹脂としては、ポリカーボネート、ポリエステル、ポリメチルメタクリレートなどが例示される。集光シートは、好ましくは、後述する光拡散シートの基材樹脂と同種の樹脂から成る。」（段落【００１８】）
エ．「光拡散シート(4)は、導光板(6)の印刷ドットパターン(5)の形状が使用者に視認されないよう、光線を拡散するものであり、光拡散剤練込タイプまたはランダム凹凸加工タイプがある。」（段落【００３２】）
　
 また、同じく先願発明２（特願平４−１４９００５号（特開平５−３２３３１９号）（甲第２号証）には以下の事項が記載されている。
オ．「【請求項１】透光性材料からなる導光板の一方の広い面を光拡散性とし、その面を鏡面ないし光拡散反射板で覆い、前記導光板の少なくとも一側面端部にこれに近接した線状光源を有するパネル用バックライトに於いて、導光板の出光面側に、同一面に微細な間隔で直線状頂稜を持つプリズム又は直線状凸部頂稜が、前記頂稜がほぼ平行となる状態で多数有する透光性材料からなるシ−トを、前記頂稜が前記パネルの左右方向で平行となる状態に、出光面側に１枚以上配置したパネル用バックライト。
　【請求項２】隣り合った頂稜と頂稜との間隔が、１０〜１０００μｍであるシ−トを用いる請求項１記載のパネル用バックライト。」（【請求項１】、【請求項２】）
カ．「近時、ラップトップ型又は、ブック型のワ−ドプロセッサ−やコンピュ−タ等の表示装置として、薄型でしかも見易いバックライト機構を有する液晶表示装置が用いられている。」（段落【０００２】）
キ．「即ち本発明は、透光性材料からなる導光板の一方の広い面を光拡散性とし、その面を鏡面ないし光拡散反射板で覆い、前記導光板の少なくとも一側面端部にこれに近接した線状光源を有するパネル用バックライトに於いて、導光板の出光面側に、同一面に微細な間隔で直線状頂稜を持つプリズム又は直線状凸部頂稜が、前記頂稜がほぼ平行となる状態で多数有する透光性材料からなるシ−トを、前記頂稜が前記パネルの左右方向で平行となる状態に、即ち、これを用いた表示装置に対面した場合水平方向で平行となる状態に、出光面側に１枚以上配置したパネル用バックライトに関するものである。」（段落【０００８】）
ク．「尚、用いる液晶表示装置のコントラストの良好な範囲が左右方向よりも上下方向のほうが広い場合は、前記シートを導光板の出光面側に配置する際、前記した頂稜がバックライトの上下方向、即ちこれを用いた表示装置に相対した際の上下方向に平行となるように配置することは言うまでもない。」（段落【００１６】）
ケ．「シートと導光板の間に光拡散板を配さない場合は、前記シートの導光板と相対する面を若干粗面化したり、スペーサー的要素を配して光学的密着を防止することが必要である。」（段落【００１７】）
コ．「本発明で用いるシ−トの、出光面側に形成する互いに平行な直線状頂稜の形状の一例としては図９に示したように、光学的平面を２つ以上持ついわゆるプリズム状のもので、前記２つの光学的平面が交わる頂稜（図中８）は直線状で、同一面内には微細な間隔（図中Ｐ）で互いに平行な多数の直線状プリズムが存在する状態のものである。シートに形成するこれら頂稜の頂角は実質的に同じ形状の部分を持つもので、このことは、頂点を中心として同一の条件で裁断した際にその頂角が実質的に同じ角度を持つことを意味する。
【００２０】
　本発明に於いては、前記したシ−トの頂稜の頂角（図中９）は７０〜１５０度であることが好ましい。」（段落【００１９】、【００２０】）
サ．「前記光拡散フィルムの上に、市販の、ポリカ−ボネートからなる頂角が９０度の互いに平行な直線状プリズムを多数有する、直線状プリズムの隣り合った頂稜と頂稜との間隔が３５０μｍの間隔になるように加工した厚さ３６０μｍのシ−トを直線頂稜が光源の中心軸と直角となるように、又プリズムが外側になるようにバックライトの出光面側に１枚配置した」（段落【００２９】）
　
　また、同じく先願発明３（特願平３−２７５０２２号（特開平５−１２７１５９号）（甲第３号証）には以下の事項が記載されている。
シ．「【請求項１】透光性材料からなる導光板の一方の広い面に、該導光板材料よりも屈折率が大きい光拡散物質を部分的に被覆し、その面を鏡面ないし光反射板で覆い、前記導光板の少なくとも一側面端部にこれに近接した線状光源を有するパネル用バックライトに於いて、導光板の出光面側に、同一面に微細な間隔で直線状頂稜を持つプリズムが、頂稜がほぼ平行となる状態で多数有する透光性材料からなるシ−トを、頂稜面が外側になるように、出光面側に１枚以上配置したパネル用バックライト。
【請求項２】頂角が７０〜１５０度の頂稜を有するシ−トを用いる請求項１記載のパネル用バックライト。
【請求項３】隣り合った頂稜と頂稜との間隔が、１０〜１０００μｍであるシ−トを用いる請求項１又は２記載のパネル用バックライト。」（【請求項１】、【請求項２】、【請求項３】）
ス．「近時、ラップトップ型又は、ブック型のワ−ドプロセッサ−やコンピュ−タ等の表示装置として、薄型でしかも見易いバックライト機構を有する液晶表示装置が用いられている。」（段落【０００２】）
セ．「即ち本発明は、透光性材料からなる導光板の一方の広い面に、該導光板材料よりも屈折率が大きい光拡散物質を部分的に被覆し、その面を鏡面ないし光反射板で覆い、前記導光板の少なくとも一側面端部にこれに近接した線状光源を有するパネル用バックライトに於いて、導光板の出光面側に、同一面に微細な間隔で直線状頂稜を持つプリズムが、頂稜がほぼ平行となる状態で多数有する透光性材料からなるシ−トを、頂稜面が外側になるように、出光面側に１枚以上配置したパネル用バックライト次に本発明を図面に基づいて詳述する。」（段落【０００７】）
ソ．「本発明ではこのシ−トを１枚又は複数枚用いるが、例えば２枚用いる場合には、互いの直線状頂稜部が直交するように２枚とも頂稜面が外側になるように重ね合わせれば、本発明の効果は更に増加する。尚、導光板面上に印刷されたドット状の光拡散物質（図中６）のドット状のパタ−ンの識別が不可能となるように、必要に応じて、前記シ−トと前記導光板との間に光拡散板（図中２）を配置しても良い。」（段落【００１２】）
タ．「本発明で用いるシ−トの、出光面側に形成する互いに平行な直線状頂稜を有するプリズムの形状は図９に示したように、光学的平面を２つ以上持ついわゆるプリズム状のもので、」（段落【００１５】）
チ．「又、前記したシ−トのプリズムの、頂点からのそれぞれの斜辺の長さが実質的に等しいものを用いることが、本発明の効果を向上させる上で特に好ましい。」（段落【００１７】）
ツ．「前記光拡散フィルムの上に、市販の、ポリカ−ボネートからなる頂角が９０度の互いに平行な直線状プリズムを多数有する、直線状プリズムの隣り合った頂稜と頂稜との間隔が３５０μｍの間隔になるように加工した厚さ３６０μｍのシ−トを直線状プリズムが外側になるようにバックライトの出光面側に１枚配置した」（段落【００３１】）
　
　また、同じく先願発明４（特願平４−２２５８６７号（特開平６−６７００４号）（甲第３号証）には以下の事項が記載されている。
テ．「【請求項１】　活性エネルギー線硬化型樹脂組成物から形成され、その表面に頂角の角度が７０〜１１０゜の一連の細長い断面三角形状のプリズムが連続して多数形成さてなることを特徴とする液晶表示装置用三角プリズムシート。」（【請求項１】）
ト．「図中８は、合成樹脂からなる透明基材であって、透明基材８の一方の表面にプリズム形状が形成された活性エネルギー線硬化型樹脂組成物からなるプリズム部９が一体に構成されている。」（段落【０００６】）
ナ．「本発明の三角プリズムシートを形成する活性エネルギー線硬化型樹脂組成物としては、透明性に優れたものであれば特に限定されるものではないが、」（段落【０００７】）
ニ．「さらに、この２枚の上下ガラス基板のそれぞれの外面には偏光板が設けられており、上部のガラス基板の内面にはカラーフィルター層と、このカラーフィルター層の外面に内部電極が設けられ、下部のガラス基板の内面には内部電極が設けられている。内部電極は、微小な画素電極が多数縦横に配列されて構成されている。」（段落【００１２】）
ヌ．「このような透明基材には、その表面に微細な凹凸を設けたり、微粉末を塗布する等の反射防止処理を施してもよい。」（段落【００１６】）
　
　また、甲第５号証（実開昭６３−１８７１３９号公報）には、以下の事項が記載されている。
ネ．「（１）レンチキュラーレンズシートと組み合わせて透過形投影スクリーンを構成するフレネルレンズシートであって、フレネルレンズシートの各レンズ単位のレンズ面でない面に光拡散層を形成したことを特徴とするレンズシート。
（２）前記光拡散層は、表面を粗面化することにより形成されることを特徴とする実用新案登録請求の範囲第（１）項記載のレンズシート。」（１頁左上欄２〜９行）
　
　また、甲第６号証（実願平１−１３１０１０号（実開昭３−６９１８４号）のマイクロフィルム）には、以下の事項が記載されている。
ノ．「この場合例えば表面を鋸歯状にした透明板の裏面を拡散作用を持たせる加工を施し、これを第１の拡散面として」（４頁下から７〜５行）
ハ．「この第２の実施例において、透明板７の平面７ｂ側を粗面とする等の加工を施すことにより、それを第１の拡散面とすれば拡散板５を省略することが出来る。」（７頁１１〜１４行）
　
（４）対比・判断
　本件発明１、３、８、１３、１４は、それぞれ、特許異議申立てがなされていない本件訂正前の請求項２、６、１１、１６、１７に対応するものであるから、以下、本件発明２、４〜７、９〜１２について対比・判断する。
　まず、本件発明２と各先願発明１〜４とを対比すると、本件発明２が、２等辺３角形プリズムのピーク間の距離を１５０μｍ以下としたのに対し、先願発明１〜４にはそのような記載がない点で両者は相違する。
　上記相違点について検討するに、例えば、先願発明１の第４図のものは２等辺３角形プリズムのピーク間の距離は約２１２μｍ程度であるものと認められるし、「２等辺３角形プリズムのピーク間の距離を１５０μｍ以下とすること」が従来周知・慣用技術であるとも認められず、したがって、本件発明２と先願発明１〜４とは実質同一であるとすることはできない。
　また、本件発明４、５、１２も、同様の理由により先願発明１〜４とは実質同一ではない。
　次に、本件発明６と先願発明１〜４に記載された発明とを対比すると、本件発明６が、光学的フィルムのピーク及び谷の方向を、偏光板の偏光軸に平行に整列したのに対し、先願発明１〜４にはそのような記載がない点で両者は相違する。
　上記相違点について検討するに、例えば、先願発明２には、光学的フィルムのピーク及び谷の方向を表示パネルの左右方向に平行となる状態、あるいは上下方向に平行にとなる状態で配置することについては記載されている（上記３．（３）の記載事項キ．ク．参照）ものの、「光学的フィルムのピーク及び谷の方向を、偏光板の偏光軸に平行に整列」することについては記載も示唆もない。また、「光学的フィルムのピーク及び谷の方向を、偏光板の偏光軸に平行に整列」することが従来周知・慣用技術であるとも認められず、したがって、本件発明６と先願発明１〜４とは実質同一であるとすることはできない。
　なお、この点について、異議申立人は、異議申立書において、「液晶パネル内の微小電極はパネルの左右方向および上下方向の走査線として形成されている。このような液晶表示装置においては、偏光板の偏光軸の方向は、当然にパネルの左右方向および上下方向である」（異議申立書４２頁１７〜１９行）と主張するが、微小電極がパネルの左右および上下方向の走査線として形成されることと偏光板の偏光軸の方向とは一般には関係がなく、上記異議申立人の主張は採用できない。
　また、本件発明７、９〜１１も、同様の理由により先願発明１〜４とは実質同一ではない。　
　
４．むすび
　以上のとおりであるから、特許異議の申立ての理由によっては本件発明についての特許を取り消すことはできない。
　また、他に本件発明についての特許を取り消すべき理由を発見しない。
　よって、結論のとおり決定する。
【異議決定日】
平成１７年１月１３日（２００５．１．１３）
【訂正の要旨】
審決（決定）の【理由】欄参照。
（５４）【発明の名称】
光学的フイルム、光学的フィルムセット、及び上記光学的フイルムを用いた液晶表示装置
（５７）【特許請求の範囲】
　【請求項１】
　短辺及び長辺を有する透明材料の第１表面に、複数個の２等辺３角形プリズムを互いに並設して形成された波形構造が設けられており、上記透明材料の第２表面に、光学的拡散透過を行う凸凹構造が設けられており、上記２等辺３角形プリズムの上角は９５〜１２０度であり、上記２等辺３角形プリズムが上記短辺および長辺に対して非平行に形成されて
おり、上記２等辺３角形プリズムのピーク間の距離が１５０μｍ以下である
　【請求項２】
　複数個の２等辺３角形プリズムを互いに並設して形成された波形構造を有する第１表面と、光学的拡散透過を行う凸凹構造を有する第２表面とを有し、上記２等辺３角形プリズムの上角は９５〜１２０度である、第１光学的フィルムと第２光学的フィルムとからなる光学的フィルムセットであって、
　上記第１光学的フィルムの２等辺３角形プリズムが上記第１光学的フィルムの短辺および長辺に対して非平行に形成されており、上記第２光学的フィルムの２等辺３角形プリズムが上記第２光学的フィルムの短辺および長辺に対して非平行に形成されて
おり、上記２等辺３角形プリズムのピーク間の距離が１５０μｍ以下である
　【請求項３】
　複数個の２等辺３角形プリズムを互いに並設して形成された波形構造を有する第１表面と、光学的拡散透過を行う凸凹構造を有する第２表面とを有し、上記２等辺３角形プリズムのピーク間の距離が１５０μｍ以下である、第１光学的フィルムと第２光学的フィルムとからなる光学的フィルムセットであって、
　上記第１光学的フィルムの２等辺３角形プリズムが上記第１光学的フィルムの短辺および長辺に対して非平行に形成されており、上記第２光学的フィルムの２等辺３角形プリズムが上記第２光学的フィルムの短辺および長辺に対して非平行に形成されている、
　光学的フィルムセット。
　【請求項４】
　上記第１光学的フィルムの２等辺３角形プリズムと上記第２光学的フィルムの２等辺３角形プリズムとが異なる方向に形成されていることを特徴とする、請求項
２
３
　【請求項５】
　上記第１光学的フィルムの２等辺３角形プリズムと上記第２光学的フィルムの２等辺３角形プリズムとが互いに略直交する方向に形成されていることを特徴とする、請求項
２
３
　【請求項６】
　偏光板を有する液晶表示パネル及びバックライト装置を含む液晶表示装置に於いて、
上記バックライト装置は、
　光を発生する光源と、
　上記液晶表示パネルの背面に対面された上面及び上記光源からの光を受け取る側面を有する光ガイド手段と、
　上記光ガイド手段の背面に設けられた反射手段と、
　上記液晶表示パネルの背面及び上記光ガイド手段の上面の間に位置決めされた一枚の光学的フイルムとを備え、
　該光学的フィルムは、透明材料の第１表面に、複数個の２等辺３角形プリズムを互いに並設して形成された波形構造が設けられており、上記透明材料の第２表面に、光学的拡散透過を行う凸凹構造が設けられており、上記２等辺３角形プリズムの上角は９５〜１２０度であり、
　上記光学的フイルムの波形構造はピーク及び谷を有し、上記光学的フィルムのピーク及び谷の方向が、上記偏光板の偏光軸に平行に整列されている、液晶表示装置。
　【請求項７】
　上記２等辺３角形プリズムが、上記光学的フィルムの短辺に対して平行に形成されていることを特徴とする、請求項
６
　【請求項８】
　上記２等辺３角形プリズムが、上記光学的フィルムの短辺および長辺に対して非平行に形成されていることを特徴とする、請求項
６
　【請求項９】
　上記２等辺３角形プリズムが、上記光学的フィルムの長辺に対して平行に形成されていることを特徴とする、請求項
６
　【請求項１０】
　液晶表示パネル及びバックライト装置を含む液晶表示装置に於いて、
上記バックライト装置は、
　光を発生する光源と、
　上記液晶表示パネルの背面に対面された上面及び上記光源からの光を受け取る側面を有する光ガイド手段と、
　上記光ガイド手段の背面に設けられた反射手段と、
　上記液晶表示パネルの背面及び上記光ガイド手段の上面の間に位置決めされた、二枚の光学的フイルムと備えるものであり、
　上記光学的フィルムが、透明材料の第１表面に、複数個の２等辺３角形プリズムを互いに並設して形成された波形構造が設けられており、上記透明材料の第２表面に、光学的拡散透過を行う凸凹構造が設けられており、上記２等辺３角形プリズムの上角は９５〜１２０度である光学的フィルムで
あり、上記液晶表示装置は偏光板を有し、上記光学的フイルムの波形構造はピーク及び谷を有し、上記光学的フィルムのうち一方のピーク及び谷の方向が、上記偏光板の偏光軸に平行に整列されている
　【請求項１１】
　液晶表示パネル及びバックライト装置を含む液晶表示装置に於いて、
上記バックライト装置は、
　光を発生する光源と、
　上記液晶表示パネルの背面に対面された上面及び上記光源からの光を受け取る側面を有する光ガイド手段と、
　上記光ガイド手段の背面に設けられた反射手段と、
　上記液晶表示パネルの背面及び上記光ガイド手段の上面の間に位置決めされた、第１光学的フイルムと第２光学的フィルムとを備えるものであり、
　上記第１光学的フィルムと上記第２光学的フィルムは、透明材料の第１表面に、複数個の２等辺３角形プリズムを互いに並設して形成された波形構造が設けられており、上記透明材料の第２表面に、光学的拡散透過を行う凸凹構造が設けられており、上記２等辺３角形プリズムの上角は９５〜１２０度である光学的フィルムであり、
　上記第１光学的フィルムの２等辺３角形プリズムが上記第１光学的フィルムの短辺に対して平行に形成されており、上記第２光学的フィルムの２等辺３角形プリズムが上記第２光学的フィルムの長辺に対して平行に形成されて
おり、上記液晶表示装置は偏光板を有し、上記光学的フイルムの波形構造はピーク及び谷を有し、上記光学的フィルムのうち一方のピーク及び谷の方向が、上記偏光板の偏光軸に平行に整列されている
　液晶表示装置。
　【請求項１２】
　液晶表示パネル及びバックライト装置を含む液晶表示装置に於いて、
上記バックライト装置は、
　光を発生する光源と、
　上記液晶表示パネルの背面に対面された上面及び上記光源からの光を受け取る側面を有する光ガイド手段と、
　上記光ガイド手段の背面に設けられた反射手段と、
　上記液晶表示パネルの背面及び上記光ガイド手段の上面の間に位置決めされた、第１光学的フイルムと第２光学的フィルムとを備えるものであり、
　上記第１光学的フィルムと上記第２光学的フィルムは、透明材料の第１表面に、複数個の２等辺３角形プリズムを互いに並設して形成された波形構造が設けられており、上記透明材料の第２表面に、光学的拡散透過を行う凸凹構造が設けられており、上記２等辺３角形プリズムの上角は９５〜１２０度である光学的フィルムであり、
　上記第１光学的フィルムの２等辺３角形プリズムが上記第１光学的フィルムの短辺および長辺に対して非平行に形成されており、上記第２光学的フィルムの２等辺３角形プリズムが上記第２光学的フィルムの短辺および長辺に対して非平行に形成されて
おり、上記２等辺３角形プリズムのピーク間の距離が１５０μｍ以下である
　液晶表示装置。
　【請求項１３】
　上記液晶表示装置は偏光板を有し、上記光学的フイルムの波形構造はピーク及び谷を有し、上記光学的フィルムのうち一方のピーク及び谷の方向が、上記偏光板の偏光軸に平行に整列されていることを特徴とする、請求項
１２
　【請求項１４】
　上記２等辺３角形プリズムのピーク間の距離が１５０μｍ以下であることを特徴とする
請求項１０又は請求項１１
【発明の詳細な説明】
　【０００１】
　【産業上の利用分野】本発明は、液晶表示（ＬＣＤ）装置に用いられる光学的フイルムおよび光学的フィルムセットに関する。そして、ＬＣＤパネルと、視野角内の光の輝度を増大するための光学的フイルムを有するバックライト装置とを備えるＬＣＤ装置に関する。
　【０００２】
　【従来の技術】
　【０００３】ＬＣＤ装置は、従来周知のように、ＬＣＤパネル、偏光板、バックライト装置及びＬＣＤドライバ回路を含む。バックライト装置は、１若しくは２個の蛍光ランプ及び光ガイドを有する。光ガイドは、蛍光ランプからの光を受取りそして一様な輝度の光をＬＣＤパネルに伝達する。光ガイドは、拡散反射を行う下側表面及び拡散透過を行う上側表面を有し、これにより上側表面から一様な輝度の光がＬＣＤパネルに送られる。
　【０００４】光の一様性を増大するために、種々な方法が開発されてきた。１つの技術が、実用新案登録願６１−１９７６８５号（実開昭６３−１０１９２１）に示されており、ここではバックライト装置は、ＬＣＤパネルに対面する拡散透過板と、裏側反射板と拡散透過板及び裏側反射版の間に位置決めされたランプとを有する。そして、拡散透過板の中心部分は、ランプに平行に配列されたフレネル・レンズを有する。
　【０００５】ポータブル型のパーソナル・コンピュータに用いられている近年のカラーＬＣＤ装置は、高輝度でそして低電力消費のバックライト装置を必要としている。ポータブル型のパーソナル・コンピュータでは出来るだけ小型のバッテリが望ましいので、高輝度及び低電力消費は、たがいに矛盾する。
　更に、近年のポータブル型のパーソナル・コンピュータのサイズはＡ４サイズにまで減少され、そしてＬＣＤ装置特にバックライト装置のサイズを減少することが要求されてきた。
　【０００６】米国特許第４，９０６，０７０号は、構造化表面及び反対側のスムースな表面を有する透明な重合体材料の薄いフレキシブルフイルムを示している。或る角度内でどちらかの表面にあたる光は全体的に内部反射される。構造化表面は、複数個のピーク及び溝を形成する互いに並設されたほぼ直角２等辺３角形のアレイを有する。広い概念から見ると、ＵＳＰ４，９０６，０７０号の構造化表面は、本発明の光学的フイルムの１つの表面の構造に似ている。しかしながら、本発明の光学的フイルムは、ＵＳＰ４，９０６，０７０号のフイルムと著しく相違している。更に、本発明のＬＣＤ装置の特定な位置に光学的フイルムを用いることは、ＵＳＰ４，９０６，０７０号には示されていない。
　【０００７】
　【発明が解決しようとする課題】高輝度で且つ小型のバックライト装置が、ポータブル型のパーソナル・コンピュータのカラーＬＣＤ装置のために要求されてきた。
　【０００８】
　【課題を解決するための手段】
　【０００９】本発明の光学的フィルムは、透明材料の第１表面に、複数個の２等辺３角形プリズムを互いに並設して形成された波形構造が設けられており、上記透明材料の第２表面に、光学的拡散透過を行う凸凹構造が設けられており、上記２等辺３角形プリズムの上角は９５〜１２０度であり、又は上記２等辺３角形プリズムのピーク間の距離が１５０μｍ以下である。上記２等辺３角形プリズムは、垂直方向に±３５度、水平方向に±５５度の視角に関し内側の光の輝度を増大し、上記視角に関し外側の光の輝度を減少させるものである。上記２等辺３角形プリズムが、上記光学的フィルムの短辺に対して平行に形成されている。上記２等辺３角形プリズムが、上記光学的フィルムの短辺および長辺に対して非平行に形成されることができる。
　【００１０】本発明の光学的フィルムセットは、複数個の２等辺３角形プリズムを互いに並設して形成された波形構造を有する第１表面と、光学的拡散透過を行う凸凹構造を有する第２表面とを有し、上記２等辺３角形プリズムの上角は９５〜１２０度であるか、または、上記２等辺３角形プリズムのピーク間の距離が１５０μｍ以下である、第１光学的フィルムと第２光学的フィルムとからなる。上記第１光学的フィルムの２等辺３角形プリズムは上記第１光学的フィルムの短辺に対して平行に形成されており、上記第２光学的フィルムの２等辺３角形プリズムは上記第２光学的フィルムの長辺に対して平行に形成されている。また、上記第１光学的フィルムの２等辺３角形プリズムは上記第１光学的フィルムの短辺および長辺に対して非平行に形成されており、上記第２光学的フィルムの２等辺３角形プリズムは上記第２光学的フィルムの短辺および長辺に対して非平行に形成されている。
　【００１１】本発明の液晶表示装置は、液晶表示パネル及びバックライト装置を含む。上記バックライト装置は、光を発生する光源と、上記液晶表示パネルの背面に対面された上面及び上記光源からの光を受け取る側面を有する光ガイド手段と、上記光ガイド手段の背面に設けられた反射手段と、上記液晶表示パネルの背面及び上記光ガイド手段の上面の間に位置決めされた、一枚または二枚の光学的フイルムと備えるものである。第１光学的フィルムの２等辺３角形プリズムを第１光学的フィルムの短辺に対して平行に形成し、第２光学的フィルムの２等辺３角形プリズムを上記第２光学的フィルムの長辺に対して平行に形成することができる。また、第１光学的フィルムの２等辺３角形プリズムを上記第１光学的フィルムの短辺および長辺に対して非平行に形成し、第２光学的フィルムの２等辺３角形プリズムを上記第２光学的フィルムの短辺および長辺に対して非平行に形成することができる。
　【００１２】本発明の液晶表示装置は、液晶表示パネル及びバックライト装置を含む。上記バックライト装置は、光を発生する光源と、上記液晶表示パネルの背面に対面された上面及び上記光源からの光を受け取る側面を有する光ガイド手段と、上記光ガイド手段の背面に設けられた反射手段と、上記液晶表示パネルの背面及び上記光ガイド手段の上面の間に位置決めされた、少なくとも一枚の光学的フイルムと備えるものであり、上記液晶表示装置と上記光学的フイルムとの間に偏光板が位置決めされており、上記光学的フィルムの２等辺３角形プリズムのピーク及び谷が配向される方向は上記偏光板の偏向軸に平行に整列されている。
　【００１３】
　【実施例】
　【００１４】第１図は、ＬＣＤガラス・パネル１、偏光板４及び５並びにバックライト装置６を有するＬＣＤ装置を示す。ＬＣＤガラス・パネル１は、周辺エッジが例えばエポキシ樹脂のようなエッジ・シール１１によりシールされた２枚のガラス基板２および３を有し、そしてガラス基板２及び３の間に液晶材料が保持されている。偏光板４の偏向軸は、偏光板５の偏向軸に垂直である。バックライト装置６は、蛍光ランプ７、光ガイド８及び薄い光学的フイルム９を含む。光ガイド８は、例えばポリメチルメタクリレイトのような透明材料で作られている。光ガイド８の第１表面即ち底面の上には、第２図に示すように、例えばアルミナのような反射性材料の反射性ドット・パターンが印刷されている。第２図に示すように、印刷ドット・パターンの寸法は、中心部の直径約２ｍｍから周辺部の直径約１．２ｍｍまで変化されている。光ガイド８の第２表面即ち上側表面には印刷ドットは設けられていない。第３図に示すように、光ガイドの第２表面は光学的フイルム９に対面されている。各印刷ドットは、参照番号３１により示されている拡散反射を行う。印刷ドットにより、蛍光ランプ７からの光はほぼ同じ輝度でＬＣＤパネル１に向かって反射される。
　【００１５】光学的フイルム９の構造は、第４及び５図に示されている。光学的フイルム９は、この材料から空気中への大きな臨界角を与えるように、１．５の屈折率及び８９％以上の全光線透過率を有する透明材料で作られる。光学的フイルム９の材料は、ポリメチルメタクリレイト若しくはポリカーボネイトである。光学的フイルム９の下側表面即ち第１表面は、曇ガラスに似た光学的に凸凹な構造を有する。この光学的に凸凹な表面は、第３図の参照数字３２により示されているように、１８０度にわたる殆ど全ての方向で同じ輝度即ち強度で光が拡散される拡散透過を生じるために必要である。凸凹構造のピーク相互間の寸法は約１０ミクロン・メータである。若しも第１表面即ち底面が光学的にスムースであるならば、拡散透過は生じない。第１表面に於ける拡散透過は、光ガイド８の印刷ドット・パターンが操作者により観察されないようにするために必要である。更に具体的に言うならば、蛍光ランプ７からの光は各ドットにより拡散反射される。次いで、光は光学的フイルム９の光学的な凸凹構造の拡散透過により拡散される。若しも光学的な凸凹構造が光学的フイルム９の第１表面に形成されないならば、光ガイド８の印刷ドット・パターンが操作者の目により観察される。このことは、表示イメージの品質を低下する。
　【００１６】光学的フイルム９の上側表面即ち第２表面は、第３，４，５図に示すように波型構造を有する。この波型構造は、互いに併設された複数個の２等辺３角形プリズムを有し、そしてピーク及び谷は互いに平行に配列されている。ピーク及び谷の方向は、ＬＣＤパネル１へ送られる光の損失を減少するために第８，９，１０及び１図を参照して後述するよう偏光板５の偏光軸５Ａに整列されている。第５図は、光学的フイルム９の内側及び外側の光の種々な通路を示す。前述のように、光学的フイルム９の凸凹構造への入射光は拡散透過される。第５図に示すように、拡散光５５，５６，５７，５８は、種々な角度で表面５１，５２へ到達し、そして屈折される。屈折光５５Ａ，５６Ａ，５７Ａ，５８Ａは、角度２Ａにより規定されるレンジ内に集められる。そして実験的に測定された結果である第６及び７図に示されるように、角度Ａは２等辺３角形プリズムの上角Ｂに依存する。第６図の曲線を説明する前に、ＬＣＤ装置の視角について説明する。この分野で周知のように、視角とは、ＬＣＤ装置の表示イメージが操作者により明確に観察される角度（ＬＣＤ装置の表面の垂直線からの角度）である。垂直方向に於ける視角は少なくとも約±３５度であり、そして水平方向の視角は、約±５５度である。本発明の光学的フイルム９により、蛍光ランプからの光はＬＣＤ装置の視角内に集められる。言いかえると、光学的フイルム９により、ＬＣＤ装置の視角内の光の輝度は、増大され、そしてＬＣＤ装置の視角外の光の輝度は減少される。
　【００１７】再び第６図を参照するに、垂直軸は、相対輝度％を表し、そして水平軸は角度Ａを表す。角度Ａは、第８図に示すように、光学的フイルム９のピーク及び谷をＬＣＤパネル１の水平方向に配列しそして軸８１の回りでＬＣＤ装置を回転することにより測定された。第８，９，１０，１２及び１３図の目的は、ＬＣＤ装置１及び偏光板５の偏向軸５Ａに対する光学的フイルム９のピーク及び谷の方向を示すことにあるので、偏光板４及びバックライト装置６はこれらの図には示されていない。第６図の垂直軸の値１００％は、光学的フイルム９が偏光板５及び光ガイド８の間に挿入されていない時の輝度を表す。５つの曲線は、光学的フイルム９の２等辺３角形プリズムの上角Ｂを種々な角度にした場合を表す。光学的フイルム９を偏光板５及び光ガイド８の間に挿入することにより特定な角度内の輝度が増大されることが第６図に於て明らかである。輝度の増大は、光学的フイルム９の光を集める効果により達成される。本発明によると、次のような理由により上角Ｂは９５〜１２０度が好ましい。
　【００１８】５つの曲線を比較すると、角度Ｂ＝９０度の場合には、必要とされる垂直方向の視角Ａ＝３５度に於ける輝度は３０％である。最小のイメージ品質を与えるためのＬＣＤ装置の実用的使用に対して要求される輝度は、６５〜７０％である。したがって、Ａ＝３５度に於ける上角Ｂ＝９０度の輝度３５％は、イメージ品質の低下を生じる。視角Ａ＝３５度に於ける角度Ｂ＝９５度の輝度は７０％であり、従って必要な最小のイメージ品質が実現される。Ｂ＝１２０度の曲線は、最高の輝度値１１７％を示す。しかしながら、若しも角度Ｂが１２０度よりも大きくなると、輝度は約１００％に近くなり、この光学的フイルムを用いる効果が減少される。この発見に基づいて、角度Ｂの上限は１２０度に選択された。第７図は、第８図に示すように、光学的フイルム９のピーク及び谷をＬＣＤパネル１の水平方向に配列し、そしてＬＣＤ装置を軸８２の回りで回転することにより測定された、相対輝度及び角度Ａの関係を示す。第７図の垂直軸の値１００％は、偏光板５及び光ガイド８の間に光学的フイルム９が挿入されなかった時の輝度を表す。第７図の５つの曲線を比較すると、角度Ｂ＝９０度の場合には、要求される水平方向の視角Ａ＝５５度における輝度は３０％である。角度Ｂ＝９５度の場合には、視角Ａ＝５５度の輝度は６５％である。前述のように、最小イメージ品質を満足するためのＬＣＤ装置の実用的使用に対して要求される輝度は６５〜７０％であるので、角度Ｂ＝９５度が選択された。Ｂ＝１２０度の曲線は、最高の輝度１１５％を示す。若しも角度Ｂが１２０度よりも大きくなると、輝度は約１００％に減少した。この発見に基づいて、角度Ｂの上限は１２０度に選択される。第６及び７図に示す実験データに基づいて、良好な上角Ｂは９５度から１２０度である
　【００１９】第１１図は、３つの特性曲線８４，８５、８６及び８７を示す。曲線８４は、第９及び１０図に示されている配列を軸８１の回りで回転することにより測定された。曲線８５は、第８図に示されている配列を軸８２の回りで回転することにより測定された。曲線８６は、第１２図に示されている配列を軸８１の回りで回転することにより測定された。曲線８７は、第１３図に示されている配列を軸８１若しくは８２の回りで回転することにより測定された。第８図に於て、光学的フイルム９のピーク及び谷の方向は、偏光板５の偏向軸５Ａに配向されている。第１２図に於て、光学的フイルム９のピーク及び谷の方向は、偏光板５の偏向軸５Ａに配向されている。第９図に於て、２つの光学的フイルムは互いに重ねられており、そして、２つのうちの一方の光学的フイルム９のピーク及び谷の方向は、他方の光学的フイルム９のピーク及び谷の方向に垂直である。第１０図で使用されている光学的フイルム１０は第１４図に示されている。光学的フイルム１０は、互いに並設された複数個の４角錐プリズムを有する。１４Ａ−１４Ｂおよび１４Ｃ−１４Ｄに沿う断面は第５図に示されている断面と同じである。そして、光学的フイルム１０の材料は、光学的フイルム９の材料と同じである。この単独の光学的フイルム１０は、互いに重ねられた２枚の光学的フイルム９と同じ機能を行う。第８，９，１０、１２及び１３図に示されている配列で使用されている光学的フイルム９及び１０は、角度Ｂ＝１１０度を有する。第８図に示されている配列は、第７図に示すように、約１３０％〜７０％の輝度を維持する水平視野角Ａ＝０〜６０度、そして第６図に示すように約１２７％〜７０％の輝度を維持する垂直視野角Ａ＝０〜４３度を有する。第１２図に示されている配列は、第６図に示すように、約１３０％〜７０％の輝度を維持する水平視野角Ａ＝０〜４３度、そして第７図に示すように約１２８％〜７０％の輝度を維持する垂直視野角Ａ＝０〜６０度を有する。第９図の配列は、第１１図に示すように、角度Ａ＝３１〜６０度の範囲では曲線８５よりも輝度が低いけれども、角度０〜３０度の範囲では約１４８％〜１２５％の高い輝度を有する。第１３図に示されている配列は、角度０〜３６度において第９及び１０図に示されている配列の輝度に匹敵する輝度を有し、そして角度３７〜４５度に於て第９及び１０図のよりも高い輝度を有する。本発明の光学的フイルム９及び１０は、ＬＣＤ装置の通常の視野角Ａ＝±３５度そして視野角Ａ＝±５５度に於て輝度を増大することが明らかである。
　【００２０】光学的フイルム９若しくは１０のピーク相互間の距離は、第５図に示すように、ピッチとして規定される。互いに３３０ミクロン・メータ離されているゲート線及び互いに１１０ミクロン・メータはなされているデータ線を有するＬＣＤパネルにこの光学的フイルム９若しくは１０が使用された時に、干渉縞が操作者により観察されないようにピッチが選択されている。ピッチが１５０ミクロン・メータ以下の場合には、干渉縞が観察されないことが本発明の発明者により実験的に確認された。
　【００２１】第１５図は、蛍光ランプ７を光ガイド８に装着するための従来の構造に於ける問題を示す。光学的フイルム９若しくは１０並びに反射板１２は、円筒形反射板１３により光ガイド８に機械的に押しつけられている。蛍光ランプ７は、図示しない支持部材により反射板１３に装着されている。これらの部品が組み立てられた時、光学的フイルム９若しくは１０の端部９Ａ若しくは１０Ａは光ガイド８の上側表面に密着され、そして反射板１２、例えば白いフイルムの端部１２Ａは光ガイド８の下側表面に密着される。ＬＣＤパネル１のエッジ部分に於ける輝度７１が、第１５図に示すように、望ましくなく増加し、その結果イメージの品質が著しく低下すること、そしてこの様な輝度の増加は、蛍光ランプ７から放出される高温に基づき時間の経過とともに端部９Ａ，１０Ａおよび１２Ａが光ガイド８の表面から分離する事によって生じることが、本発明者により確認された。更に具体的に説明すると、望ましくない輝度のピーク７１は、光ガイド８の底面から鋭角にしかも拡散透過することなしにＬＣＤ装置に直接向かう光７２及び７３により主に生じることそして光ガイド８の上側表面から鋭角に通過する光７４及び７５も又わずかにエッジ部分の輝度の増加７１に寄与することが見いだされた。
　【００２２】この問題を解決するために、第２及び１６図に示すように、薄い被膜８８が、光ガイド８の底面及び上面のエッジに付着若しくは被着される。この薄い被膜８８は、低透過率でそして完全拡散透過を行う材料で形成されている。この薄い被膜８８は、光７２，７３及び７５が、光ガイド８の底面及び上面から直接的に入射する事を防止する。これにより、第１６図に示すように、一様で且つ均一な輝度８２Ａが実現される。被膜８８は、アルミナ・オキサイド若しくは白色ペイントで形成される。
　【００２３】
　【発明の効果】前述のごとく、本発明は、ＬＣＤ装置の視野角内での輝度の増大を実現する。
【図面の簡単な説明】
　【図１】本発明のＬＣＤ装置を示す図である。
　【図２】本発明のライトガイド８を示す図である。
　【図３】本発明のＬＣＤ装置の各大部分を示す図である。
　【図４】本発明の光学的フイルム９の構造を示す図である。
　【図５】本発明の光学的フイルム９の種々な光の通路を示す図である。
　【図６】本発明の光学的フイルム９の特性曲線を示す図である。
　【図７】本発明の光学的フイルム９の特性曲線を示す図である。
　【図８】本発明の第１配列を示す図である。
　【図９】本発明の第２配列を示す図である。
　【図１０】本発明の第３配列を示す図である。
　【図１１】本発明の光学的フイルム９及び１０の特性曲線を示す図である。
　【図１２】本発明の第４配列を示す図である。
　【図１３】本発明の第５配列を示す図である。
　【図１４】本発明の光学的フイルム１０の構造を示す図である。
　【図１５】従来の構造及びその問題点を示す図である。
　【図１６】本発明の構造を示す図である。
　【符号の説明】
　１　　　・・・　ＬＣＤパネル
　２及び３・・・　ガラス基板
　４及び５・・・　偏光板
　６　　　・・・　バックライト装置
　７　　　・・・　蛍光ランプ
　８　　　・・・　光ガイド
　９及び１０・・　光学的フイルム